(57)【要約】      （修正有）【課題】アウターパンツの下でインナーパンツの前開き口付近が、如何なる形状に重なり合ったり、ズレて移動してしまったりしていても、アウターパンツの前開き口からインナーパンツの前開き口まで迷うことなく確実に手指を誘導可能とする新たなインナーパンツ技術を提供する。【解決手段】パンツ左前身頃部１１の右端、またはパンツ右前身頃部１２の左端の何れか一方に設けられた内重なり縁２１と、該パンツ左前身頃部１１の右端、またはパンツ右前身頃部１２の左端の中の何れか他方に設けられ、該内重なり縁２１の外がわに重なる外重なり縁２０とからなる前開き口２が設けられ、該外重なり縁２０に一体化された面状結着部４、アウターパンツ８の腰部適所付近に繋着可能な形状とされた吊着鈎部７、および、該面状結着部４と吊着鈎部７とを繋ぐ手繰り綱５からなる前開き口案内装具３が設けられてなるインナーパンツ１である。【選択図】図１
2019199675.tif 000002
【特許請求の範囲】
【請求項１】
パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたインナーパンツであって、該インナーパンツの外重なり縁に一体化された面状結着部、該インナーパンツの外がわに配されるアウターパンツの腰部適所付近に繋着可能な形状とされた吊着鈎部、および、該面状結着部と吊着鈎部とを繋ぐ手繰り綱からなる前開き口案内装具が設けられてなるものとしたことを特徴とするインナーパンツ。
【請求項２】
パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたインナーパンツであって、該インナーパンツの外重なり縁に一体化された面状結着部、該インナーパンツの外がわに配されるアウターパンツの腰部適所付近に繋着可能な形状とされた吊着鈎部、および、該面状結着部と吊着鈎部とを繋ぐ手繰り綱からなる前開き口案内装具が設けられ、アウターパンツ越しに該インナーパンツの前開き口を探す際に、該前開き口案内装具の手繰り綱を糸口として外重なり縁を外がわに開くことを可能とするものとしてなることを特徴とするインナーパンツ。
【請求項３】
前開き口案内装具の面状結着部が、外重なり縁を該外重なり縁の表裏面に接合、挟着可能な一対の摩擦部を有して、該外重なり縁の表裏面を肉厚方向に、着脱可能に挟み込む面状クリップであり、手繰り綱の中途適所に、指標把手具が設けられたものとしてなる、請求項１または２何れか一方記載のインナーパンツ。
【請求項４】
前開き口案内装具の手繰り綱が、面状結着部の上下に離れた位置に夫々繋がれた二叉分岐状の紐からなり、同二叉分岐状の紐の中途適所に同二叉分岐状の紐同士を束ね合わせる状態に装着され、同二叉分岐状の紐に沿って進退調節可能、且つ進退調節位置に仮固定可能な仮止め機構を有する指標把手具が設けられてなる、請求項１ないし３何れか一記載のインナーパンツ。
【請求項５】
前開き口案内装具の手繰り綱の面状結着部と繋がる部分が、面状結着部の長さを上回る直径のループ状とされ、該ループ状の手繰り綱に沿って面状結着部が、進退移動自在となるよう装着されてなる、請求項１ないし４何れか一記載のインナーパンツ。
【請求項６】
パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたインナーパンツの外重なり縁に対して、着脱自在に装着可能な面状結着部、該インナーパンツの外がわに配されるアウターパンツの腰部適所付近に繋着可能な形状とされた吊着鈎部、および、該面状結着部と吊着鈎部とを繋ぐ手繰り綱からなるものとしたことを特徴とするインナーパンツ用の前開き口案内装具。
【請求項７】
面状結着部が、外重なり縁を該外重なり縁の表裏面に接合、挟着可能な一対の摩擦部を有して、該外重なり縁の表裏面を肉厚方向に、着脱可能に挟み込む面状クリップであり、手繰り綱の中途適所に、指標把手具が設けられたものとしてなる、請求項６記載の前開き口案内装具。
【請求項８】
手繰り綱が、二叉分岐状の紐からなり、同二叉分岐状の紐の中途適所に同二叉分岐状の紐同士を束ね合わせる状態に装着され、同二叉分岐状の紐に沿って進退調節可能、且つ進退調節位置に仮固定可能な仮止め機構を有する指標把手具が設けられてなる、請求項６または請求項７何れか一方記載の前開き口案内装具。
【請求項９】
手繰り綱の面状結着部と繋がる部分が、面状結着部の長さを上回る直径のループ状とされ、該ループ状の手繰り綱に沿って面状結着部が、進退移動自在となるよう装着されてなる、請求項６ないし８何れか一記載の前開き口案内装具。
【発明の詳細な説明】
【技術分野】
【０００１】
この発明は、男性用の前開き口を有するインナーパンツに関連するものであり、特に、アウターパンツの前開き口越しに、インナーパンツの前開き口を容易に探り当てることを可能とするインナーパンツ、および、それに関連する装具類を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                            
【背景技術】
【０００２】
（着目点）
男性が排尿する際には、アウターパンツの前開き口のファスナーや釦などの開閉部を開き、該アウターパンツの前開き口越しに、インナーパンツの前開き口を探り当て、該インナーパンツの前開き口から手指をいれて男性器を引き出して排尿することとなるが、手指の感覚や巧緻機能などに障害があったり、高齢化によって動作が緩慢となったりするなどして、アウターパンツの前開き口越しにインナーパンツの前開き口を探り当てるのが困難になってしまったり、また、手指の機能に全く問題の無い若者や健常者などであっても、インナーパンツのポケットや裏生地などが複雑な形状であったり、タイトなデザインのものであったりしたときには、インナーパンツがアウターパンツの内側でズレ動いてしまい、布皺の重なりに紛れてインナーパンツの前開き口を探り当てることができなくなってしまうことがあり、こうした場合には、アウターパンツのベルトを緩めて、同アウターパンツの前開き口の上部の釦やフックなどの留め具類を外し、アウターパンツを半ば脱いだ状態でインナーパンツの前開き口を探り当てることとなって煩わしい思いをするばかりか、公衆トイレなどでは周囲にも気を遣わなければならないという不都合を生ずるだけではなく、高齢者の場合にあっては、それらの動作が排尿に追いつかず、思わぬ失態を呈してしまうという不測の事態を招き兼ねないことにもなる。
【０００３】
（従来の技術）
こうした状況を反映し、その打開策となるような提案もこれまでに散見されない訳ではない。
例えば、下記の特許文献１（１）に提案されているものに代表されるように、前開き口に臨むパンツ左右前身頃部の内重なり縁および外重なり縁の夫々に沿って、インナーパンツの布地とは異なる金属や樹脂などの材質からなる補助具が埋め込まれ、手を前開き口に入れた際、該補助具が指に触れることですぐに場所がわかるようにしたものや、同特許文献１（２）に見られるような、インナーパンツ本体の正面中央に、下端が股間部に達し上端を本体中程までの長さに切断すると共に布材左右を幅狭に重ね合わせてなる前開き口を有するインナーパンツにおいて本体のゴム紐口より股間部に至る正面側に前開き口を覆う略逆三角形状のカバー体を配置し、カバー体の下半部左右を除いて周縁を本体に縫着し、上半部と下半部間に横縫着部を設け、下半部の左右いずれからも男性器を的確に取り出しでき、迅速に男性器を露出することができて排尿作業が遅滞なく行われ粗相をするおそれを軽減できるようにしたものなどが散見される。
【０００４】
しかし、前記特許文献１（１）および特許文献１（２）などに示されているようなインナーパンツは、インナーパンツの前開き口に手指が達したときに、同インナーパンツの前開き口の補助具に触れて、前開き口を感知することができたり、前開き口の左右いずれからも男性器を容易に取り出すことができたりするものとなっているものの、何れもアウターパンツの前開き口からインナーパンツの前開き口までに、確実に手指を誘導することができるものとはなっておらず、インナーパンツの前開き口付近の布生地が、不自然に重なり合ってしまい、同インナーパンツの前開き口および補助具などが隠蔽状となってしまったようなときには、従前までのものと同様に、インナーパンツの前開き口を見つけ出すことが出来ないという事態に陥ってしまい、結局は、止む無くアウターパンツのベルトを緩めて同アウターパンツの前開き口の上部の釦やフックなどの留め具類を外し、アウターパンツを半ば脱いだ状態でインナーパンツの前開き口を探り当てるようにしなければならないという、従前までと同じ不都合を生じさせてしまうという致命的な難点を抱えるものでしかなかった。                                                                                  
【特許文献１】（１）実用新案登録第３２０６３４９号公報    （２）実開２００５−１２６８７８号公報
【発明の概要】
【発明が解決しようとする課題】
【０００５】
（問題意識）
上述したとおり、従前までに提案のある各種インナーパンツ類は、何れも殆どの場合には、インナーパンツの前開き口を素早く探り当てて滞りなく小用を足すことが可能なものとなっているが、希にインナーパンツの前開き口付近の生地がズレ動いたり、皺が寄って不自然に重なり合ったりしてしまった場合に、インナーパンツの前開き口を速やかに探し出すことができなくなる虞があるという欠点が残るものであり、さらに、こうした機能的構造が一体に組み込まれたインナーパンツ類は、利用者が従前まで着用していたインナーパンツや、市販されている既存形状のインナーパンツ類などには利用することができないという欠点を有しており、こうした課題を解決し、より多くの顧客に平易に利用可能な新たなインナーパンツ、およびそれに利用する新たな装具類の開発の可能性を痛感するに至ったものである。
【０００６】
（発明の目的）
そこで、この発明は、アウターパンツの下でインナーパンツの前開き口付近が、如何なる形状に重なり合ったり、ズレて移動してしまったりしていても、アウターパンツの前開き口からインナーパンツの前開き口まで、迷うことなく確実に手指を誘導可能とする新たなインナーパンツ技術の開発はできないものかとの判断から、逸速くその開発、研究に着手し、長期に渡る試行錯誤と幾多の試作、実験とを繰り返してきた結果、今回、遂に新規な構造のインナーパンツ、およびそれに利用する新規な構造の前開き口案内装具を実現化することに成功したものであり、以下では、図面に示すこの発明を代表する実施例と共に、その構成を詳述することとする。                                                                          
【課題を解決するための手段】
【０００７】
（発明の構成）
図面に示すこの発明を代表する実施例からも明確に理解されるように、この発明のインナーパンツは、基本的に次のような構成から成り立っている。
即ち、パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたインナーパンツであって、該インナーパンツの外重なり縁に一体化された面状結着部、該インナーパンツの外がわに配されるアウターパンツの腰部適所付近に繋着可能な形状とされた吊着鈎部、および、該面状結着部と吊着鈎部とを繋ぐ手繰り綱からなる前開き口案内装具が設けられてなるものとした構成を要旨とするインナーパンツである。
【０００８】
この基本的な構成からなるインナーパンツは、その表現を変えて示すならば、パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたインナーパンツであって、該インナーパンツの外重なり縁に一体化された面状結着部、該インナーパンツの外がわに配されるアウターパンツの腰部適所付近に繋着可能な形状とされた吊着鈎部、および、該面状結着部と吊着鈎部とを繋ぐ手繰り綱からなる前開き口案内装具が設けられ、アウターパンツ越しに該インナーパンツの前開き口を探す際に、該前開き口案内装具の手繰り綱を糸口として外重なり縁を外がわに開くことを可能とするものとした構成からなるインナーパンツとなる。
【０００９】
（関連する発明１）
上記したインナーパンツに関連し、この発明には、それに利用する前開き口案内装具も包含している。
即ち、パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたインナーパンツの外重なり縁に対して、着脱自在に装着可能な面状結着部、該インナーパンツの外がわに配されるアウターパンツの腰部適所付近に繋着可能な形状とされた吊着鈎部、および、該面状結着部と吊着鈎部とを繋ぐ手繰り綱からなるものとした、この発明の基本をなす前記インナーパンツ用の前開き口案内装具である。                                                                              
【発明の効果】
【００１０】
以上のとおり、この発明のインナーパンツによれば、従前までのものとは違い、上記したとおりの固有の特徴ある構成から、インナーパンツおよび既存のアウターパンツの着用者は、小用を足そうとするとき、アウターパンツの腰部周辺の適所に前開き口案内装具の吊着鈎部を介して繋着された手繰り綱を手指に把持して伝い辿り、インナーパンツの前開き口の外重なり縁に一体化された面状結着部を、アウターパンツの前開き口越しに引き寄せるようにしてインナーパンツの前開き口を速やかに探り当てることができることから、手指の不自由な利用者にも遅滞なく円滑に用を足すことができるようになるという秀でた特徴が得られるものである。
【００１１】
加えて、前開き口案内装具の面状結着部が、外重なり縁を該外重なり縁の表裏面に接合、挟着可能な一対の摩擦部を有して、該外重なり縁の表裏面を肉厚方向に着脱可能に挟み込む面状クリップとされたものは、インナーパンツの前開き口から前開き口案内装具を簡便に取り外すことができるから、洗濯や収納の際の取扱いがより容易なものとなり、手繰り綱の中途適所に指標把手具が設けられたものは、手繰り綱を探り当てるのが一段と容易になる上、手繰り綱をより確実に把持し、弱い力でも簡単に面状結着部を引き寄せ操作できるものとなる。
【００１２】
前開き口案内装具の手繰り綱が、面状結着部の上下に離れた位置に夫々繋がれた二叉分岐状の紐からなり、同二叉分岐状の紐の中途適所に同二叉分岐状の紐同士を束ね合わせる状態に装着されたものは、インナーパンツの前開き口のより幅広い範囲を引き寄せることが可能となり、一段と優れた操作性を確保できるものとなり、さらに、同二叉分岐状の紐に沿って進退調節可能、且つ進退調節位置に仮固定可能な仮止め機構を有する指標把手具が設けられてなるものは、指標把手具が二叉分岐状の紐を束ねて整然とまとめることができる上、仮止め機構を有する指標把手具が、二叉分岐状の紐の中途の何れか、着用者の利用に都合の良い任意の位置に調節および仮固定可能なものとなるから、利用者の個々の希望を一層満たすことができるものとなる。
【００１３】
また、前開き口案内装具の手繰り綱は、手繰り綱の面状結着部と繋がる部分が、面状結着部の長さを上回る直径のループ状とされ、該ループ状の手繰り綱に沿って面状結着部が、進退移動自在となるよう装着されてなるものにあっては、アウターパンツに吊下した吊着鈎部と面状結着部との互いの配置および姿勢に拘わらず、手繰り綱のループ状の部分が、面状結着部に対して周回り方向に自由に移動するものとなっているから、手繰り綱が異常に突っ張ったり、不必要に弛んだりしてしまうのを効果的に防止し、より優れた着用感を得ることができるものとなる。
【００１４】
そして、この発明のインナーパンツに利用するようにした前開き口案内装具によれば、着用者が、従前より利用していた従来型のインナーパンツや新たに購入した一般的なインナーパンツについても、該前開き口案内装具を装着するだけで簡単に、この発明のインナーパンツに改良することができるから、一段と経済的なものとすることができる上、インナーパンツそれ自体のデザインや機能性などを重視する利用者にも幅広く利用可能なものになるという秀でた効果を発揮するものとなる。                                                                                
【発明を実施するための最良の形態】
【００１５】
上記したとおりの構成からなるこの発明の実施に際し、その最良もしくは望ましい形態について説明を加えることにする。
インナーパンツは、基本的にアウターパンツの内側に着用され、前開き口を有する肌着としての機能を担うものであって、さらに、この発明の特徴的構成を成す前開き口案内装具を一体的に設けられたものか、または、前開き口案内装具が別体のものとして着脱可能に組み合わせられてなるものかの何れか一方のものとされており、より具体的には、パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたものとすべきであり、さらに具体的には、ブリーフタイプ、ボクサータイプ、トランクスタイプ、ミッドウェイタイプ、ビキニタイプ、ソングタイプ、すててこタイプ、ももひきタイプ、猿股タイプ、レギンスタイプ、スパッツタイプ、ぱっちタイプなどの何れかのタイプのものとすることができる。
【００１６】
インナーパンツのパンツ後ろ身頃部とパンツ左前身頃部およびパンツ右前身頃部とは、互いに一枚の布生地からなるものとすることができる外、何れか１枚の布生地が、他の一体化された布生地に対して縫着されてなるものとすることができ、布生地の一部または全部が２枚以上の布生地を重ね合わせてなるものとすることが可能である。
【００１７】
インナーパンツの前開き口は、インナーパンツを脱ぎ降ろすことなく、インナーパンツを着用したまま男性器を露出可能とする機能を担い、パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなるものとすべきであり、内重なり縁と外重なり縁とが互いに略垂直線上に重なり合うような所謂前立て状のものとすることができる外、内重なり縁と外重なり縁とが互いに左右何れか一方の斜め下方に向けて傾斜および湾曲の少なくとも何れか一方の形状とされたものとすることができ、また、内重なり縁が左右何れか一方の斜め下方に向けて傾斜および湾曲の少なくとも何れか一方の形状とされ、外重なり縁が左右何れか他方の斜め下方に向けて傾斜および湾曲の少なくとも何れか一方の形状とされて重なり合うものとされたものとすることができ、さらにまた、内重なり縁と外重なり縁とが互いに略水平線上に重なり合うものとすることが可能である。
【００１８】
前開き口案内装具の面状結着部は、インナーパンツの外重なり縁に対し、手繰り綱の吊着鈎部に繋がるのとは反対がわの端を繋着する機能を担っており、インナーパンツの前開き口の外重なり縁に対し、手繰り綱の牽引力に耐えるに充分な強度をもって繋着可能なものとしなければならず、例えば、三角形状、長方形状、正方形状、五角形状、六角形状、それ以上の多角形状、円形状、楕円形状、星型形状、その他の異形状などの外、各種キャラクターやマークなど様々な形状のものとすることが可能であり、例えば、インナーパンツの前開き口の外重なり縁に対し、１ｃｍ四方ないし１５ｃｍ四方、望ましくは外重なり縁の長さ方向に沿って１×２ｃｍないし５×１５ｃｍ程度の接合面積が確保された面形状のものとすることができ、金属製、木製、合成樹脂製、合成ゴム製、布生地製、皮革製のものなどとすることが可能であり、ワッペン類、釦類などとすることができる外、後述する実施例にも示すように、布生地がインナーパンツの前開き口の外重なり縁に対し、縫着されたものとすることが可能であり、さらにまた、面状結着部が、外重なり縁を該外重なり縁の表裏面に接合、挟着可能な一対の摩擦部を有して、該外重なり縁の表裏面を肉厚方向に、着脱可能に挟み込む面状クリップに置き換えられ、インナーパンツの前開き口の外重なり縁に対し、脱着自在に挟着可能なものとすることが可能である。
【００１９】
面状結着部としての面状クリップの一対の摩擦部は、インナーパンツの前開き口の外重なり縁の表裏面に接合、挟着可能であって、該外重なり縁の表裏面を肉厚方向に、着脱可能に挟み込み、手繰り綱の吊着鈎部に繋がるのとは反対がわの端を繋着する機能を担っており、インナーパンツの前開き口の外重なり縁の表裏面に対し、ボルト・ナットの締め付け力、バネや天然ゴム、合成ゴム、合成樹脂などの弾性力、および、永久磁石の吸着力（または反発力の何れか一方）などの中の少なくとも何れか一を利用して挟着可能なものとするのが望ましく、インナーパンツの前開き口の外重なり縁の表裏面に対し、鋸刃状の噛合歯部を有して高摩擦に挟着可能とされたものや、インナーパンツの前開き口の外重なり縁の表裏面に設けられた雄雌何れか一方の面ファスナーと、該面ファスナーに対して着脱自在に貼着可能な雄雌何れか他方の面ファスナーとの組み合わせからなるもの、または、後述する実施例にも示しているとおり、インナーパンツの前開き口の外重なり縁の表裏面に挟着可能なクリップの挟着顎部であって、その外重なり縁の表裏面に接合する面に、天然ゴム製や軟質合成樹脂製、軟質発泡樹脂製、フェルト製などの高摩擦層が設けられたものとすることができ、さらに、面状クリップが複数個、並列状に設けられたものとすることができる。
【００２０】
前開き口案内装具の手繰り綱は、面状結着部と吊着鈎部とを繋ぎ、アウターパンツの前開き口越しに、着用者の手指をインナーパンツの前開き口まで確実に誘導可能とし、また、アウターパンツの前開き口越しに、着用者の手元までインナーパンツの前開き口を引き寄せ可能とする機能を担い、着用者の手指の誘導や、着用者の手元までインナーパンツの前開き口を引き寄せるのに充分な強度を有するものとしなければならず、着用者が操作するのに程良く、しかもインナーパンツとアウターパンツとの間で邪魔にならない程度の太さとすべきであり、例えば１ｍｍないし１０ｍｍ程度の太さとするのが望ましく、可撓性や柔軟性を有し、アウターパンツの前腰部付近に繋着された吊着鈎部から同アウターパンツの前開き口の上端付近を経て、インナーパンツの前開き口の面状結着部まで直線状、折れ線状および曲線状となどの形状となって繋ぎ、インナーパンツとアウターパンツとの間で邪魔にならない程度の長さに設定されたものとすべきであり、例えば１０ｃｍないし３０ｃｍ程度の長さとするのが望ましく、１本のもの、複数本が束ねられたもの、または環状（無端状）のものを直径方向に引き伸ばすよう重ね合わせて束ねたものなどとすることが可能であり、より具体的には、金属製、木製、合成樹脂製、天然ゴム製、合成ゴム製、皮革製、植物性および動物性の少なくとも何れか一方の繊維製、合成繊維製、布製、それらの複合素材製などとすることができ、表現を変えると、紐状、縄状、綱状、ワイヤー状、鎖状、数珠、それらの組み合わせなどのものとすることができる。
【００２１】
また、手繰り綱は、複数本の紐からなり、同複数本の紐の中途適所に同複数本の紐同士を束ね合わせる状態に装着され、同複数本の紐に沿って進退調節可能、且つ進退調節位置に仮固定可能な仮止め機構を有する指標把手具が設けられてなるものとすることが可能であり、また、Ｖ字形に二つ折りとされた紐からなり、折り返し部分に吊着鈎部が装着され、両端間に面状結着部が装着されたものとすることが可能である外、後述する実施例にも示すとおり、環状（無端状）の紐を直径方向に引き伸ばすよう重ね合わせて両端折り返し部分付近の一方に吊着鈎部が装着され、両端折り返し部分付近の他方に面状結着部が装着されたものとすることが可能であり、表現を変えて示すと、手繰り綱は、手繰り綱の面状結着部と繋がる部分が、面状結着部の長さを上回る直径のループ状とされ、該ループ状の手繰り綱に沿って面状結着部が、進退移動自在となるよう装着されてなるものとすることができる。
【００２２】
指標把手具は、着用者が手探りで手繰り綱の中途部を探す場合に、目視により確認せずとも、身体に加わる質感の違いや手探りによる存在感によって素早く手繰り綱の中途部を探し出し、さらに、手繰り綱のグリップ性を高めて操作性をより良いものにするという機能を担い、手繰り綱の中途部で、着用者が把持するのに程良い位置、例えば、手繰り綱の両端間の中央位置付近などに、移動不能、着脱不能に外嵌状に固着されたものとすることが可能である外、手繰り綱に沿って進退調節可能、且つ進退調節位置に仮固定可能な仮止め機構を有するものとすることが可能であり、また、後述する実施例にも示しているが、Ｖ字形に二つ折りとされた紐からなる手繰り綱や、環状（無端状）の紐が直径方向に引き伸ばすよう重ね合わせられてなるような二叉分岐状の紐からなる手繰り綱などに対し、同二叉分岐状の紐の中途適所に同二叉分岐状の紐同士を束ね合わせる状態に装着され、同二叉分岐状の紐に沿って進退調節可能、且つ進退調節位置に仮固定可能な仮止め機構を有して装着されたものとすることが可能であり、より具体的には、軟質合成樹脂製の短尺パイプからなり、その内周壁の摩擦力で手繰り綱の中途部の外周壁に仮固定状に外嵌されたものとすることができる外、所謂「コードストッパー（商品名）」とし、釦を押すと、手繰り綱の中途部への仮固定が解除され、釦を離すと、手繰り綱の中途部の所望の位置に仮固定されるものとすることが可能であり、握り易さや滑り止めの機能が得られる外郭形状とされたものや、外郭や全体の柔らかさを高めた素材製のものなどとすることができ、外表面に手指が掛かり易い凹凸形状やチャンネル形状が設けられたものや、外皮または全体の何れかが軟質合成樹脂製や天然ゴム製のものなどとするのが望ましい。
【００２３】
吊着鈎部は、アウターパンツの腰部付近の適所に対し、手繰り綱の面状結着部が設けられたのとは反対がわとなる端部を着脱自在に繋着可能とし、着用者が手探りで手繰り綱を伝い、インナーパンツの前開き口に辿り着く操作の出発点となる機能を担い、アウターパンツの腰部付近の開口縁、ベルトループ、ポケットの開口縁、腰部に装着されたベルトなどの適所に着脱自在に繋着または嵌着可能なものとすべきであり、より具体的には、フック型、引き輪型、ナスカン型、カニカン型などの金具類とすることができる外、単なる手繰り綱の一部を環状に括られたものや、金属製や合成樹脂製などの環状金具類などすることが可能であり、後述する実施例にも示してあるようなカラビナ型の金具とすることができる。
以下では、図面に示すこの発明を代表する実施例と共に、その構造について詳述することとする。                                                                                                
【図面の簡単な説明】
【００２４】
図面は、この発明のインナーパンツ、およびそれに利用する前開き口案内装具の技術的思想を具現化した代表的な幾つかの実施例を示すものである。
【図１】この発明のインナーパンツを示す正面図である。
【図２】前開き口案内装具の利用状態を示す正面図である。
【図３】前開き口案内装具の一例を示す斜視図である。
【図４】前開き口案内装具の他の例を示す斜視図である。
【図５】無端状の手繰り綱が設けられた前開き口案内装具を示す斜視図である。
【実施例１】
【００２５】
図１および図２に示す事例は、パンツ左前身頃部１１の右端、またはパンツ右前身頃部１２の左端の何れか一方に設けられた内重なり縁２１と、該パンツ左前身頃部１１の右端、またはパンツ右前身頃部１２の左端の中の何れか他方に設けられ、該内重なり縁２１の外がわに重なる外重なり縁２０とからなる前開き口２が設けられ、該外重なり縁２０に一体化された面状結着部４、アウターパンツ８の腰部適所付近に繋着可能な形状とされた吊着鈎部７、および、該面状結着部４と吊着鈎部７とを繋ぐ手繰り綱５からなる前開き口案内装具３が設けられてなるものとした、この発明のインナーパンツである。
【００２６】
それら図１および図２からも明確に把握できるとおり、この発明のインナーパンツ１は、パンツ後ろ身頃部１０の左右端がわから延伸されたパンツ左前身頃部１１、および、パンツ右前身頃部１２を有し、該パンツ右前身頃部１１の左端に前立て形状の内重なり縁２１が設けられ、さらに、パンツ左前身頃部の右端に、該内重なり縁２１の前外がわに重なり合う前立て形状の外重なり縁２０が設けられ、該内重なり縁２１と外重なり縁２０との間に前開き口２が設けられており、該外重なり縁２０の右端縁の上下端間の略中央付近に、凡そ２ｃｍ×５ｃｍの縦長の長方形状の布製の面状結着部４が、重ね合わせられて縫合され、一体化されたものとしてある。
【００２７】
面状結着部４は、前述のように、前開き口２の外重なり縁２０に設けられたものの外、前開き口２の内重なり縁２１に縫着されたものとすることが可能である。
該面状結着部４の右端縁付近の、上下端間の中央か、または、上端付近かの何れか一方に、手繰り綱５の一端が強固に縫合、結着されたものとしてあり、さらに、該手繰り綱５の他端には、吊着鈎部７としてのフック金具７が連結されたものとしてある。
【００２８】
（実施例１の作用・効果）
以上のとおりの構成からなるこの発明のインナーパンツ１は、図１および図２中に示すように、インナーパンツ１の前開き口２の外重なり縁２０に対し、前開き口案内装具３の面状結着部４が、確りと縫着され強固に一体化されたものとなっているから、アウターパンツ８の前開き口８０越しに、手繰り綱５を強引に引き寄せた場合であっても、離脱することなくインナーパンツ１の前開き口２の外重なり縁２０を、より安全且つ確実に引き寄せて探り当てることができる上、布製の面状結着部４は、インナーパンツ１の前開き口２付近の厚みを最小限に留めると共に、前開き口２付近の生地の柔軟性を維持できるから、より違和感の少ない着用感を達成できるものとなる。                                                                          
【実施例２】
【００２９】
図３ないし図５に示す事例は、内重なり縁２１（図１および図２を参照）と、該内重なり縁２１の外がわに重なる外重なり縁２０とからなる前開き口２が設けられたインナーパンツ１の外重なり縁２１に対して着脱自在に装着可能な面状結着部４、該インナーパンツ１の外がわに配されるアウターパンツ８の腰部適所付近に繋着可能な形状とされた吊着鈎部７、および、該面状結着部４と吊着鈎部７とを繋ぐ手繰り綱５からなるものとした、この発明のインナーパンツ用の前開き口案内装具における代表的な幾つかの実施例を示すものである。
【００３０】
図３からも明確なように、前開き口案内装具３は、面状結着部４が、幅２ｃｍないし４ｃｍ、インナーパンツ１の外重なり縁２１（図１および図２を参照）の全縦長寸法の約１／２ないし１／４の長さ（例えば４ｃｍ）に設定された矩形板状のベース部４０を有し、該ベース部４０の基端寄りに柄４１、および、該ベース部４０の先端寄りに開閉顎４２が、該柄４１を起こすと開閉顎４２が開き、該柄４１を該ベース部４０に平行するよう閉じると開閉顎４２も該ベース部４０に平行するよう閉じるよう動作する開閉機構４３を介して一体化され、該開閉顎４２の先端と、これに対峙するベース部４０の先端との互いの対峙壁面には、夫々軟質合成ゴム製の凹凸面シート４４，４４が貼着され、一対の摩擦部４４，４４が設けられた面状クリップ４とされている。
面状結着部４としての面状クリップ４には、そのベース部４０の柄４１が配されたがわの基端上端付近に、長さ２５ｃｍ、太さ３．５ｍｍの１本の手繰り綱５の一端が連結され、該手繰り綱５の他端には、吊着鈎部７としてのカラビナ７が繋着されたものとなっている。
【００３１】
また、図４に示されるように、手繰り綱５は、長さ５０ｃｍ、太さ３．５ｍｍの１本の紐５が、その両端間の中央で折り畳まれ、長さ２５ｃｍの二叉分岐状の紐５とされ、該二叉分岐状の紐５の両端間中央部に、吊着鈎部７としてのカラビナ７が繋着され、該二叉分岐状の紐５のカラビナ７が繋着された両端間中央の折り畳み位置と、両端との間に、押し釦６１を押し込むと仮止めが解除され、該押し釦６１を離すと仮止めされる仮止め機構６０を有する指標把手具６としてのコードストッパー６が装着され、さらに、二叉分岐状に分岐された紐（手繰り綱５）の両端が、夫々面状結着部４としての面状クリップ４のベース部４０の柄４１が配されたがわの基端上下端付近に結着されたものとすることが可能である。
【００３２】
さらにまた、図５に示されるように、手繰り綱５は、長さ５０ｃｍ、太さ３．５ｍｍの紐５の一端が、面状結着部４としての面状クリップ４のベース部４０の柄４１が配されたがわの基端上下端付近に穿設された一対の装着孔４５，４５の一方から他方に挿し通された上、該紐５の両端と面状クリップ４との中途部に、仮止め機構６０を有する指標把手具６としてのコードストッパー６が装着され、さらに、該紐５の一端が小さな環形状とされ、該環形状とされた一端に吊着鈎部７としてのカラビナ７が繋着され、該該紐５の小さな環形状とされた一端と、他端とが、該小さな環形状を維持するよう短管状の止め金具５０で結着され、同図５に示したように、一本の紐５（手繰り綱５の全体）が、外観上、ループ状（無端状）のものとなり、また、該手繰り綱５の指標把手具６と、面状クリップ４との間が、二叉分岐状の紐５の外観を呈するものとなる。
【００３３】
（実施例２の作用・効果）
実施例２のインナーパンツ１用の前開き口案内装具３は、前記この発明の効果の項で記載の特徴に加え、図３に示したように、面状結着部４が面状クリップ４とされ、インナーパンツ１（図１および図２参照）の前開き口２の外重なり縁２０に対して、着脱自在なものとされているから、この発明のインナーパンツ１だけでなく、従来型の一般的な前開き口２を有するインナーパンツ１に対しても、前開き口２の外重なり縁２０に対して、面状クリップ４の柄４１を操作して開閉顎４２を開き、外重なり縁２０を開閉顎４２とベース部４０との間に挟み込み、確りと挟着されたものとすることにより、前記実施例１の図１および図２に示したインナーパンツ１と同様の利用が可能になるという新たな特徴が得られ、さらに、摩擦部４４としての軟質合成ゴム製の凹凸面シート４４，４４が、面状クリップ４の外重なり縁２０への挟着摩擦をさらに強固なものとして、不用意な脱落をより確実に防止できるものとなる上、吊着鈎部７としてのカラビナ７が、アウターパンツ８のベルトループや、アウターパンツ８に装着されたベルト（何れも図示せず）などに簡単且つ確実に繋着することができるものとなる。
【００３４】
図４に示したように、手繰り綱５が二叉分岐状の紐５，５からなる前開き口案内装具３は、二叉分岐状の紐５，５の各端部が、面状クリップ４のベース部４０の前開き口２の外重なり縁２０に挟着した場合の、上下端となる上下角部付近に夫々繋着されたものとなっているから、手繰り綱５の中途部に引き寄せる操作を加えると、該外重なり縁２０の上下端間の、より幅広い範囲を効果的に引き寄せることができるものとなって、一段と広く前開き口２を広げることが可能となり、さらに、手繰り綱５の中途部に設けられた指標把手具６としてのコードストッパーは、着用者が手繰り綱５を探して掴む操作を補助するものとなり、より迅速に手繰り綱５を発見して、手繰り綱５をより確実に把持して引き寄せることが可能となり、しかも押し釦６１で操作可能な仮止め機構６０を有するから、手繰り綱５の中途部の、着用者の所望する位置に自由に調節して利用することができるものとなり、一段と利便性に優れたものとなる。
【００３５】
図５のように、手繰り綱５が、面状クリップ４のベース部４０の一対の装着孔４５，４５とコードストッパー６との間でループ形状をなすよう組み合わせられた前開き口案内装具３は、手繰り綱５の中途部に沿ってベース部４０の一対の装着孔４５，４５がスライド移動自在となっているから、コードストッパー６とベース部４０の一対の装着孔４５，４５との間で、二叉分岐状となる紐５，５部分の長さが、自由に調節可能となり、着用の際に、縦姿勢に装着された面状クリップ４の上がわ配置となる装着孔４５と指標把手具６との間となる紐範囲部分５１を短く、縦姿勢に装着された面状クリップ４の下がわ配置となる装着孔４５と指標把手具６と間となる紐範囲部分５２を長く調節することが可能となり、また、その逆の長さに調節することも可能となるから、指標把手具６と一対の装着孔４５，４５との間で二叉分岐状となる紐範囲部分５１，５２の着用の際の弛みや突っ張りなどの違和感をより効果的に解消可能なものとなる。
【００３６】
（結  び）
叙述の如く、この発明のインナーパンツ、およびそれに利用する前開き口案内装具は、その新規な構成によって所期の目的を遍く達成可能とするものであり、しかも製造も容易で、従前からのインナーパンツ技術に比較して、より簡便且つ確実にインナーパンツの前開き口を探し当てることができるものとなるから、遅滞なく円滑にしかも速やかに排尿することができるものとなる上、前開き口案内装具は、市販の従来型のインナーパンツに簡単に組み込んで、この発明のインナーパンツと同様に利用することができるから遥かに経済的なものとすることができ、下着業界および介護用品業界はもとより、手指の運動機能に障害のある人や高齢者のなどで、特に不本意な失態を招いてしまった経験のある人は勿論のこと、健常者でも小用の度毎に煩わしく大変な思いをすることの多い人々にとって、高い評価がなされ、広範に渡って利用、普及していくものになると予想される。                                
【符号の説明】
【００３７】
１      インナーパンツ
１０    同  パンツ後ろ身頃部
１１    同  パンツ左前身頃部
１２    同  パンツ右前身頃部
２      前開き口
２０    同  外重なり縁
２１    同  内重なり縁
３      前開き口案内装具
４      面状結着部（面状クリップ）
４０    同  ベース部
４１    同  柄
４２    同  開閉顎
４３    同  開閉機構
４４    同  凹凸面シート（摩擦部）
４５    同  装着孔
５      手繰り綱（複数本の紐）
５０    同  止め金具
５１    同  紐範囲部分
５２    同  紐範囲部分
６      指標把手具（コードストッパー）
６０    同  仮止め機構
６１    同  押し釦
７      吊着鈎部（フック金具、カラビナ）
８      アウターパンツ
８０    同  前開き口
【図１】
2019199675.tif 000003
【図２】
2019199675.tif 000004
【図３】
2019199675.tif 000005
【図４】
2019199675.tif 000006
【図５】
2019199675.tif 000007
【手続補正書】
【提出日】平成30年5月21日(2018.5.21)
【手続補正１】
【補正対象書類名】明細書
【補正対象項目名】０００４
【補正方法】変更
【補正の内容】
【０００４】
しかし、前記特許文献１（１）および特許文献１（２）などに示されているようなインナーパンツは、インナーパンツの前開き口に手指が達したときに、同インナーパンツの前開き口の補助具に触れて、前開き口を感知することができたり、前開き口の左右いずれからも男性器を容易に取り出すことができたりするものとなっているものの、何れもアウターパンツの前開き口からインナーパンツの前開き口までに、確実に手指を誘導することができるものとはなっておらず、インナーパンツの前開き口付近の布生地が、不自然に重なり合ってしまい、同インナーパンツの前開き口および補助具などが隠蔽状となってしまったようなときには、従前までのものと同様に、インナーパンツの前開き口を見つけ出すことが出来ないという事態に陥ってしまい、結局は、止む無くアウターパンツのベルトを緩めて同アウターパンツの前開き口の上部の釦やフックなどの留め具類を外し、アウターパンツを半ば脱いだ状態でインナーパンツの前開き口を探り当てるようにしなければならないという、従前までと同じ不都合を生じさせてしまうという致命的な難点を抱えるものでしかなかった。                                                                                  
【特許文献１】（１）実用新案登録第３２０６３４９号公報    （２）特開２００５−１２６８７８号公報
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたインナーパンツであって、該インナーパンツの外重なり縁に一体化された面状結着部、該インナーパンツの外がわに配されるアウターパンツの腰部適所付近に繋着可能な形状とされた吊着鈎部、および、該面状結着部と吊着鈎部とを繋ぐ手繰り綱からなる前開き口案内装具が設けられてなるものとしたことを特徴とするインナーパンツ。
【請求項２】
パンツ後ろ身頃部の左右端がわから延伸されたパンツ左前身頃部、および、パンツ右前身頃部を有し、該パンツ左前身頃部の右端、またはパンツ右前身頃部の左端の中の何れか一方に設けられた内重なり縁と、該パンツ左前身頃部の右端、またはパンツ右前身頃部の左端の中の何れか他方に設けられ、該内重なり縁の外がわに重なる外重なり縁とからなる前開き口が設けられたインナーパンツであって、該インナーパンツの外重なり縁に一体化された面状結着部、該インナーパンツの外がわに配されるアウターパンツの腰部適所付近に繋着可能な形状とされた吊着鈎部、および、該面状結着部と吊着鈎部とを繋ぐ手繰り綱からなる前開き口案内装具が設けられ、アウターパンツ越しに該インナーパンツの前開き口を探す際に、該前開き口案内装具の手繰り綱を糸口として外重なり縁を外がわに開くことを可能とするものとしてなることを特徴とするインナーパンツ。
【請求項３】
前開き口案内装具の面状結着部が、外重なり縁を該外重なり縁の表裏面に接合、挟着可能な一対の摩擦部を有して、該外重なり縁の表裏面を肉厚方向に、着脱可能に挟み込む面状クリップであり、手繰り綱の中途適所に、指標把手具が設けられたものとしてなる、請求項１または２何れか一方記載のインナーパンツ。
【請求項４】
前開き口案内装具の手繰り綱が、面状結着部のインナーパンツの外重なり縁に対して着脱自在に装着された場合の上下方向に離れた位置に夫々繋がれた二叉分岐状の紐からなり、同二叉分岐状の紐の中途適所に同二叉分岐状の紐同士を束ね合わせる状態に装着され、同二叉分岐状の紐に沿って進退調節可能、且つ進退調節位置に仮固定可能な仮止め機構を有する指標把手具が設けられてなる、請求項１ないし３何れか一記載のインナーパンツ。
【請求項５】
前開き口案内装具の手繰り綱の面状結着部と繋がる部分が、真円形状とされた場合に、面状結着部のインナーパンツの外重なり縁に対して着脱自在に装着された場合の上下方向の長さを上回る直径のループ状とされ、該ループ状の手繰り綱に沿って面状結着部が、進退移動自在となるよう装着されてなる、請求項１ないし４何れか一記載のインナーパンツ。